(57)【要約】【課題】顔のほぼ全体にわたって満遍なく明るく照らし出すことができ、顔に影を形成することなく、化粧をし易くすること。また、明るい場所に応じた化粧をする場合や、ホテルのパーティや私用に応じた化粧をする場合でも、ＴＰＯに応じた化粧ができるようにすること。【解決手段】鏡本体１の中央部分のミラー２の周囲に発光ダイオード３ａ、３ｂを所定の間隔毎に列設する。２種類の色温度の異なる発光ダイオードを用いており、一方は白色発光ダイオード３ａであり、他方は電球色発光ダイオード３ｂである。７個の白色発光ダイオード３ａを上下の部分にまとめてそれぞれ配置し、また、７個の電球色発光ダイオード３ｂを左右の部分にまとめてそれぞれ配置する。何れかの発光ダイオード３ａ、３ｂを選択して点灯させるスイッチを設けている。【選択図】図１
2008073174.tif 000002
【特許請求の範囲】
【請求項１】
ミラー（２）と、このミラー（２）の回りに配置した複数の発光ダイオード（３）と、この発光ダイオード（３）の前面側に配置された光透過性のカバー（４）とで鏡本体（１）を構成していることを特徴とする照明付き鏡。
【請求項２】
前記ミラー（２）の前面と前記カバー（４）の前面とをほぼ面一としていることを特徴とする請求項１に記載の照明付き鏡。
【請求項３】
前記カバー（４）を合成樹脂製で構成し、該カバー（４）を透明または半透明としていることを特徴とする請求項１または請求項２に記載の照明付き鏡。
【請求項４】
前記カバー（４）の裏面にレンズ構造の凹面部（２２）を形成していることを特徴とする請求項３に記載の照明付き鏡。
【請求項５】
前記発光ダイオード（３）は、少なくとも２種以上の色温度の異なる発光ダイオード（３ａ）（３ｂ）の組み合わせで構成され、各色温度の発光ダイオード（３ａ）（３ｂ）の点灯、非点灯を選択操作するスイッチ（２０）を設けていることを特徴とする請求項１に記載の照明付き鏡。
【請求項６】
前記発光ダイオード（３ａ）（３ｂ）を交互に配列していることを特徴とする請求項５に記載の照明付き鏡。
【請求項７】
複数の同一の色温度の発光ダイオード（３ａ）（３ｂ）がミラー（２）の中心に軸対称となるように配列していることを特徴とする請求項５に記載の照明付き鏡。
【請求項８】
前記ミラー（２）の左右に複数の発光ダイオード（３ａ）（３ｂ）を直線状に上下方向にそれぞれ配置すると共に、前記発光ダイオード（３ａ）（３ｂ）からの光の投光方向を内側となるように該発光ダイオード（３ａ）（３ｂ）を傾斜させていることを特徴とする請求項５または請求項６に記載の照明付き鏡。
【請求項９】
前記ミラー（２）を長方形状に形成すると共に、横寸法と縦寸法との比を１：ルート２（１：１．４１４２・・・）の黄金比としていることを特徴とする請求項１に記載の照明付き鏡。
【発明の詳細な説明】
【技術分野】
【０００１】
本発明は、化粧などを行なう際に用いる鏡に関するものであり、特に、照明付き鏡に関するものである。
【背景技術】
【０００２】
化粧をする際には鏡を見ながら行なうのが一般的であり、また、最近では必要な照度を得るためや、また顔に影ができないように、手元照明を行なって化粧をするのも一般的となっている。
このような照明の光源として蛍光灯を用いると、該蛍光灯は発熱が大きいために、長時間にわたって顔を近づけて使用するには不適である。そこで、発熱の少ない発光ダイオードを光源とした、所謂ＬＥＤ照明が考えられ、かかるＬＥＤ照明は、用途にマッチしており、しかも電源回路及び発光部共に軽量でコンパクトである点が優れている。
【０００３】
かかるＬＥＤ照明付きの鏡としては、例えば、下記に示す特許文献１〜５が挙げられる。
【０００４】
【特許文献１】実用新案登録第３１１９５９５号公報
【特許文献２】特開２００１−１５７６３７号公報
【特許文献３】特開２００１−６１６２３号公報
【特許文献４】特開２００６−１７５０６５号公報
【特許文献５】特開２００２−９３２３７号公報
【０００５】
上記特許文献１に記載の携帯用手鏡は、ミラーに複数の光透過窓が設けられていて、そのミラーの背面に該光透過窓に対応して発光ダイオード（ＬＥＤ）を設けたものである。これにより、ＬＥＤの照射光を光透過窓を通してミラーの前面に導くようにしている。
【０００６】
上記特許文献２に記載されている照明付き手鏡装置は、手に持って自由に移動可能な手鏡本体に鏡部と、その鏡部に映し出される部分を照明する、ＬＥＤを光源とした照明装置とを具備したものである。これにより、顔の局部を明るく照らし出した上で鏡部に映し出すことができ、化粧や髭剃り等を行ない易くしている。
【０００７】
また、上記特許文献３に記載されている鏡では、発光部と抵抗体とで構成されるＬＥＤの、発光部を鏡の上端側に照明用として設けると共に、抵抗体を鏡の裏側に配設して防露用に用いたものである。これにより、ＬＥＤの発光部からの光で良好に照明できるようにしている。
【０００８】
さらに、上記特許文献４では、鏡面を有する手鏡本体と、手鏡鏡面の左右に配設され、鏡面と同一平面から内側に１８０度折り曲げられ、かつその折り曲げ角度と光量を調節しつつ鏡面を照射できる複数個の白色ＬＥＤが装着されたＬＥＤホルダとから構成された照明付手鏡が記載されている。
これにより、ＬＥＤの光により室内でも屋外と同じような条件で顔面を写し出すことができるようにしている。
【０００９】
また、上記特許文献５に記載の照明付き鏡では、鏡の上部に透光部を形成し、その背面に白色発光ダイオードなどの光源を配置したものである。また、透光部と光源の間に白色合成樹脂などで形成した透光性の光拡散板を配置している。これにより、照明付き鏡を小型化でき、光拡散板により光源の眩しさを解消するようにしている。
【００１０】
しかしながら、上記特許文献１〜３においては、以下に示すように多くの問題点を有している。すなわち、ＬＥＤが鏡の裏面に配置されているため、ＬＥＤの光が散乱して効率的に顔面に照射することができない。特に、ＬＥＤは指向角が狭く、光を集中させることが可能であるが、ＬＥＤを鏡の裏面に配置している構造では、この特徴を生かすことができない。
また、ＬＥＤが鏡の裏面に設置されているため、ＬＥＤの光が散乱して、鏡面からも光照射があり、かえって鏡面の像が見づらいという問題がある。
【００１１】
さらには、照明といっても種々の色温度があり、この照明色温度によって、顔のあるいは化粧の見え方が大きく変化するが、これら特許文献１〜３に記載されている従来例では対応ができていない。例えば、ホテルでのパーティに出かけ、ホテル内の照明が電球色（橙色から黄色味がかった）照明であった場合、その照明を反映して顔色が少し暗い目の赤みがかって見えることになる。
そこで、こういう場合の化粧は少し白く明るい目にした方が映える。また、昼間の屋外で行動する場合、前述の化粧では青白く病人のように見えてしまう。そこで、こういう場合の化粧は、少し赤みを増して行なう方が映えることになる。
【００１２】
このように、ＴＰＯによって化粧方法を変えてその出来映えを確認するためには、その都度、部屋の照明を変えねばならないというのが現状である。
【００１３】
また、特許文献２、３では、もともと洗面所に設置されるタイプの化粧台自体や、該化粧台に設けられている照明付き鏡のため、外出時に携帯して使用するには不適当である。
【００１４】
さらには、特許文献４においては、照明付き手鏡を２つ折りにしている構造のため、嵩張って形成する場合にも不適当であり、また、構造が複雑となっている。また、特許文献５では、鏡の上部に光源を配置しているために、鼻の部分より上は明るく照射されても、鼻より下側の部分に影ができてしまい、使い勝手が悪いという問題を有している。
【発明の開示】
【発明が解決しようとする課題】
【００１５】
本発明は上述の問題点に鑑みて提供したものであって、少なくとも以下の目的を持った照明付き鏡を提供するものである。
（１）顔のほぼ全体にわたって満遍なく明るく照らし出すことができ、顔に影を形成することなく、化粧をし易くすること。
（２）照明付き鏡をバッグに出し入れする際に、スムーズに出し入れができること。
（３）ミラーの回りを明るくして、化粧をし易くすること。
（４）発光ダイオードからの光が眩しくならないようにして、発光ダイオードの光が化粧の支障とならないようにすること。
（５）明るい場所に応じた化粧をする場合や、ホテルのパーティや私用に応じた化粧をする場合でも、ＴＰＯに応じた化粧ができるようにすること。
【課題を解決するための手段】
【００１６】
そこで、本発明の請求項１に記載の照明付き鏡では、ミラー２と、このミラー２の回りに配置した複数の発光ダイオード３と、この発光ダイオード３の前面側に配置された光透過性のカバー４とで鏡本体１を構成していることを特徴としている。
【００１７】
請求項２に記載の照明付き鏡では、前記ミラー２の前面と前記カバー４の前面とをほぼ面一としていることを特徴としている。
【００１８】
請求項３に記載の照明付き鏡では、前記カバー４を合成樹脂製で構成し、該カバー４を透明または半透明としていることを特徴としている。
【００１９】
請求項４に記載の照明付き鏡では、前記カバー４の裏面にレンズ構造の凹面部２２を形成していることを特徴としている。
【００２０】
請求項５に記載の照明付き鏡では、前記発光ダイオード３は、少なくとも２種以上の色温度の異なる発光ダイオード３ａ、３ｂの組み合わせで構成され、各色温度の発光ダイオード３ａ、３ｂの点灯、非点灯を選択操作するスイッチ２０を設けていることを特徴としている。
【００２１】
請求項６に記載の照明付き鏡では、前記発光ダイオード３ａ、３ｂを交互に配列していることを特徴としている。
【００２２】
請求項７に記載の照明付き鏡では、複数の同一の色温度の発光ダイオード３ａ、３ｂがミラー２の中心に軸対称となるように配列していることを特徴としている。
【００２３】
請求項８に記載の照明付き鏡では、前記ミラー２の左右に複数の発光ダイオード３ａ、３ｂを直線状に上下方向にそれぞれ配置すると共に、前記発光ダイオード３ａ、３ｂからの光の投光方向を内側となるように該発光ダイオード３ａ、３ｂを傾斜させていることを特徴としている。
【００２４】
請求項９に記載の照明付き鏡では、前記ミラー２を長方形状に形成すると共に、横寸法と縦寸法との比を１：ルート２（１：１．４１４２・・・）の黄金比としていることを特徴としている。
【発明の効果】
【００２５】
本発明の請求項１に記載の照明付き鏡によれば、ミラー２と、このミラー２の回りに配置した複数の発光ダイオード３と、この発光ダイオード３の前面側に配置された光透過性のカバー４とで鏡本体１を構成しているので、ミラー２の回りからは各発光ダイオード３からの光が照射されて、顔のほぼ全体にわたって明るく照らし出すことができ、顔には影が形成されることはなく、化粧をし易くすることができる。
【００２６】
請求項２に記載の照明付き鏡によれば、前記ミラー２の前面と前記カバー４の前面とをほぼ面一としているので、鏡本体１の前面がフラットになって、バッグ内への出し入れの際に、バッグに引っ掛かることもなく、スムーズに出し入れをすることができる。
【００２７】
請求項３に記載の照明付き鏡によれば、前記カバー４を合成樹脂製で構成し、該カバー４を透明としていることで、ミラー２の回りを一層明るくすることができ、化粧をし易くすることができる。また、カバー４を半透明とした場合には、発光ダイオード３からの光が直接見えないので、目にもやさしく、また、発光ダイオード３の光が眩しくならず、化粧をする場合にも光が支障となることもない。
【００２８】
請求項４に記載の照明付き鏡によれば、前記カバー４の裏面にレンズ構造の凹面部２２を形成しているので、この凹面部２２を介してカバー４を透過する際に光が散乱し、発光ダイオード３の光の照射範囲を拡大させることができ、そのため、顔の全体にわたって満遍なく明るく照らし出すことができて、顔には影が形成されることはなく、化粧を一層し易くすることができる。
【００２９】
請求項５に記載の照明付き鏡によれば、前記発光ダイオード３は、少なくとも２種以上の色温度の異なる発光ダイオード３ａ、３ｂの組み合わせで構成され、各色温度の発光ダイオード３ａ、３ｂの点灯、非点灯を選択操作するスイッチ２０を設けているので、例えば、白色を発光する発光ダイオード３ａと電球色を発光する発光ダイオード３ｂを用いて、この２種類の発光ダイオード３ａ、３ｂをスイッチ２０により選択操作をすることで、例えば、明るい場所に応じた化粧をする場合には、白色発光ダイオード３ａを点灯させて化粧をし、また、ホテルなどのパーティや私用に応じた化粧をする場合には、電球色発光ダイオード３ｂを点灯して化粧をすることができる。これにより、１台の鏡本体１によりＴＰＯに対応させた化粧をすることができる。
【００３０】
請求項６に記載の照明付き鏡によれば、前記発光ダイオード３ａ、３ｂを交互に配列しているので、どちらの発光ダイオード３ａ、３ｂを選択して点灯させても、ミラー２の回りを明るく点灯させることができ、顔の一方側が明るく、他方側が暗いということを避けることができる。
【００３１】
請求項７に記載の照明付き鏡によれば、複数の同一の色温度の発光ダイオード３ａ、３ｂがミラー２の中心に軸対称となるように配列しているので、顔の上下方向から、あるいは左右方向から光を照射することができ、そのため、化粧をし易くしたり、化粧後の出来映えを容易に確認することができる。
【００３２】
請求項８に記載の照明付き鏡によれば、前記ミラー２の左右に複数の発光ダイオード３ａ、３ｂを直線状に上下方向にそれぞれ配置すると共に、前記発光ダイオード３ａ、３ｂからの光の投光方向を内側となるように該発光ダイオード３ａ、３ｂを傾斜させているので、発光ダイオード３ａ、３ｂの中央部分の光が顔の中央部分に照射され、また、発光ダイオード３ａ、３ｂの中央部分以外からの光もある角度を持って広がって照射されるので、両側からの各発光ダイオード３ａ、３ｂからの光は顔の全体にわたって満遍なく明るく照らし出されることになる。これにより、顔には影が形成されることがなく、化粧も一層し易くなる。
【００３３】
請求項９に記載の照明付き鏡によれば、前記ミラー２を長方形状に形成すると共に、横寸法と縦寸法との比を１：ルート２（１：１．４１４２・・・）の黄金比としているので、ミラー２と顔との距離を約２０ｃｍほど離れて見た場合には、顔がミラー２にすっぽりと入り、化粧も一層し易くなる。
【発明を実施するための最良の形態】
【００３４】
（第１の実施の形態）
以下、本発明の第１の実施の形態を図面（図１〜図６）を参照して詳細に説明する。図１は本発明の照明付きの円形の鏡本体１の正面図を示し、この鏡本体１の前面にはガラス製で円形のミラー２が配設されており、このミラー２の周囲に複数個の発光ダイオード（以下、ＬＥＤという。）３が所定の間隔毎に周設されている。
【００３５】
図２は前記ＬＥＤ３の前面側に配置される透明、あるいは半透明の合成樹脂製のカバー４の正面図を示しており、このカバー４は、ＬＥＤ３から照射される光を散乱させるためのものである。また、図３はこのカバー４を外した場合の鏡本体１の正面図を示し、図４は鏡本体１の断面図を示している。図４に示すように、ミラー２の前面と、カバー４の前面とは面一としている。
【００３６】
図１〜図４において、鏡本体１の外殻を構成している合成樹脂製のケーシング５の外周縁より少し内側の位置に同心円状に周壁部６が一体に周設されており、この周壁部６の内側に前端より少し奥方に位置させた隔壁７（図４参照）が一体に形成されている。
この隔壁７と周壁部６とで形成される円形の凹所１０内に前記ミラー２が接着等により装着されている。また、ケーシング５の外周縁と周壁部６との間には、円形のプリント基板収容部１１が形成され、このプリント基板収容部１１の内部にＬＥＤ３を実装したプリント基板１２が配設されている。
【００３７】
図３に示すように、プリント基板１２はリング円板状に形成されており、４個のネジ１３によりプリント基板１２がケーシング５側に固定されている。そして、本実施形態では、各ネジ１３の間に７個のＬＥＤ３を配置しており、また、色温度の異なるＬＥＤ３を配置している。
具体的には、図３の上側に７個の白色ＬＥＤ３ａを列設し、この白色ＬＥＤ３ａに対向している位置（図３の下側）にも７個の白色ＬＥＤ３ａを列設している。また、プリント基板１２の左右には７個の電球色ＬＥＤ３ｂをそれぞれ列設している。すなわち、同一の色温度のＬＥＤ３ａ、３ｂがミラー２の中心に軸対称となるように配列している。
【００３８】
なお、この照明付きの鏡本体１の大きさは、片手で持つことができる程度の大きさのため、ＬＥＤ３の数を上記のように合計で２８個としているが、ＬＥＤ３の個数は特に限定されるものではない。
また、本実施形態では、白色ＬＥＤ３ａと電球色ＬＥＤ３ｂとの２種類の色温度の異なる発光ダイオードを用いているが、これらとは異なる色温度の発光ダイオードを追加して、３種類以上の色温度の異なる発光ダイオードを用いて鏡本体１を構成するようにしても良い。
【００３９】
また、図３及び図４に示すように、ケーシング５の隔壁７の背面側には縦壁１４にて囲んだ電池収容部１５が形成されており、この電池収容部１５内に例えば、３個の電池１６が交換自在に収容されるようになっている。なお、１７は電池１６の極と接触させる金具である。また、ケーシング５の背面側にはＬＥＤ３を点灯、消灯及び白色ＬＥＤ３ａあるいは電球色ＬＥＤ３ｂを切り換え点灯させるためのスイッチ２０が設けられている。
さらには、ケーシング５の背面には電池１６を交換する際の開閉自在なフタ２１が設けられている。なお、このフタ２１に鏡本体１を立てるためのついたてを設けるようにしても良い。
【００４０】
図６は鏡本体１の回路図を示しており、抵抗ＲとＬＥＤ３との直列回路を並列接続したものであり、図６ではスイッチ２０より右側には、白色ＬＥＤ３ａを並列接続し、左側には電球色ＬＥＤ３ｂを並列接続している。そして、スイッチ２０の切り換え操作により、１４個の白色ＬＥＤ３ａと１４個の電球色ＬＥＤ３ｂの点灯を切り換えるようにしている。スイッチ２０の中立位置がＬＥＤ３を消灯させる位置である。
なお、図６に示すスイッチ２０とは異なる構造のスイッチを用いて、白色ＬＥＤ３ａ及び電球色ＬＥＤ３ｂを同時に点灯させるようにしても良い。
【００４１】
次に、ＬＥＤ３の前方に配置されるカバー４について説明する。発光ダイオードは周知のように指向角が狭いので、単にＬＥＤ３の光を直接顔面に照射しただけでは、顔のほぼ全体にわたって照射できず、影ができたりして、化粧をするのには不適切となる。
そこで、本発明では、図５に示すようにカバー４の裏面に工夫を施している。すなわち、各ＬＥＤ３に対向するカバー４の裏面には断面を略半円形状とした凹面部２２を形成し、この凹面部２２によりＬＥＤ３からの光を散乱させて、各ＬＥＤ３からの光がカバー４を透過した場合に全体として略均一となるようにしている。なお、図２に凹面部２２の一部を描いており、この凹面部２２はカバー４の中心から外側方に放射状に形成されていて、そのため、図中の矢印で囲まれる空間部分へと光が散乱されることになる。
【００４２】
このように、カバー４の裏面にレンズ構造の凹面部２２を形成しているので、この凹面部２２を介してカバー４を透過する際に光が散乱し、発光ダイオード３の光の照射範囲を拡大させることができ、そのため、顔の全体にわたって満遍なく明るく照らし出すことができて、顔には影が形成されることはなく、化粧を一層し易くすることができる。
【００４３】
実際に鏡本体１を使用して化粧をする場合、行き先が、ホテル内でのパーティ等か、会社内でも仕事か、昼間での外での外出かによって、化粧の仕方が異なる。仕事や昼間の屋外での外出の場合には、鏡本体１の白色ＬＥＤ３ａを点灯させて化粧を行ない、また、ホテル内のパーティや私用で外出先の建物などの中の場合には、電球色ＬＥＤ３ｂを点灯させて化粧を行なうべく、スイッチ２０を切り換え操作することで、白色ＬＥＤ３ａあるいは電球色ＬＥＤ３ｂを点灯させる。
【００４４】
このように、これからの行動先、行動内容等のＴＰＯに応じて、鏡本体１の白色ＬＥＤ３ａあるいは電球色ＬＥＤ３ｂの点灯を切り換えて化粧を行なうことができる。また、白色ＬＥＤ３ａでは鏡本体１の上下から、電球色ＬＥＤ３ｂでは鏡本体１の左右から光が照射されるので、顔のほぼ全体にわたって照らさせることになり、そのため、顔に影が出来ず、化粧も非常にやり易くなる。
なお、先の説明では、白色ＬＥＤ３ａと電球色ＬＥＤ３ｂとを連続して配置していたが、白色ＬＥＤ３ａと電球色ＬＥＤ３ｂとを１個ずつ交互に配置するようにしても良い。
【００４５】
また、本実施形態では、複数の同一の色温度の発光ダイオード３ａ、３ｂがミラー２の中心に軸対称となるように配列しているので、顔の上下方向から、あるいは左右方向から光を照射することができ、そのため、化粧をし易くしたり、化粧後の出来映えを容易に確認することができる。
【００４６】
（第２の実施の形態）
次に、図７〜図１６により第２の実施形態を説明する。先の実施形態では、鏡本体１の形状を円形とし、鏡本体１の中央のミラー２の周囲にＬＥＤ３を列設していたが、本実施形態では、鏡本体１の形状を長方形状とし、ミラー２の左右にＬＥＤ３を上下方向に列設したものである。
なお、先の実施形態と形状が異なるものの同一の機能を発揮する要素には同一番号を付して説明する。
【００４７】
図７（ａ）は鏡本体１の正面図を、（ｂ）は側面図を、図８は鏡本体１の斜視図をそれぞれ示している。図示するように、長方形状のミラー２の左右にＬＥＤ３を上下方向にそれぞれ列設し、このＬＥＤ３の前面側にＬＥＤ３からの光を散乱透過させる合成樹脂製で長方形状のカバー４をそれぞれ配設している。
図９は、左右のカバー４を外した場合のカバー４の正面図を示し、図１０は図８のＡ−Ａ断面図を示し、図１１は図８のＢ−Ｂ断面図を示している。
【００４８】
ケーシング５の左右のプリント基板収容部１１内には、ＬＥＤ３を直線状に実装した細長状のプリント基板１２がそれぞれ配置されていて、白色ＬＥＤ３ａと電球色ＬＥＤ３ｂとは交互に配置されている。また、ミラー２の下方には、白色ＬＥＤ３ａを点灯、消灯させるためのスイッチ２０ａと、電球色ＬＥＤ３ｂを点灯、消灯させるためのスイッチ２０ｂとが並設されている。
また、鏡本体１の側面には図７に示すように穴３０が穿孔されており、この穴３０より電源コード３１が導出されている。ここで、先の実施形態における鏡本体１の電源は、電池１６としていたが、本実施形態では、鏡本体１の電源は、一般家庭用のＡＣ１００Ｖとしている。
【００４９】
なお、鏡本体１の背面には、図７（ｂ）に示すように、ついたて３２が開閉自在に設けてあり、化粧台の上に立てて使い勝手を良くしている。
【００５０】
プリント基板１２は、図１０に示すように、ケーシング５側に突設されているボス３３にネジ３４により固定されるようになっており、また、鏡本体１の背面板３５も、同様にボス３６にネジ３７により固定されるようになっている。
図１１に示すように、ケーシング５の前部は、先の実施形態と同様に隔壁７が形成されており、この隔壁７とケーシング５の外側との間で形成される凹所１０内にミラー２が接着等にて配設されている。
【００５１】
また、図１０及び図１２に示すように、カバー４の両側の端部には弾性を有する係止片４０が一体に垂設されており、この係止片４０の先端の爪４１をケーシング５の舌片４２の下端縁に係止することで、カバー４がケーシング５に装着されるようになっている。
カバー４の裏面は、先の実施形態と同様に断面を略半円形とした凹面部２２が各ＬＥＤ３に対向した位置に形成されており、この凹面部２２により各ＬＥＤ３からの光を散乱透過するようにしている。
【００５２】
図１３は回路図を示し、上側の回路は白色ＬＥＤ３ａの点灯用であり、下側の回路は電球色ＬＥＤ３ｂの点灯用である。交流電源（ＡＣ１００Ｖ）からスイッチ２０ａを介して抵抗Ｒ１、コンデンサＣ１、Ｃ２、整流用のダイオードブリッジＤＢ１、平滑用のコンデンサＣ３等が接続され、コンデンサＣ３の両端に抵抗Ｒ２が並列に接続されている。この抵抗Ｒ２の両端に１４個の白色ＬＥＤ３ａを直列に接続した回路が並列に接続されている。
また、同様に交流電源からスイッチ２０ｂを介して抵抗Ｒ３、コンデンサＣ４、Ｃ５、ダイオードブリッジＤＢ２、平滑用のコンデンサＣ６等が接続され、このコンデンサＣ６の両端に抵抗Ｒ４が並列に接続されている。そして、この抵抗Ｒ４の両端に１４個の電球色ＬＥＤ３ｂを直列に接続した回路が並列に接続されている。
【００５３】
本実施形態では、スイッチ２０ａをオンすると、１４個の白色ＬＥＤ３ａが点灯し、また、スイッチ２０ｂをオンすると、１４個の電球色ＬＥＤ３ｂが点灯する。いずれか一方のスイッチ２０ａ、又は２０ｂをオンすると、白色ＬＥＤ３ａ又は電球色ＬＥＤ３ｂが点灯するが、両方のスイッチ２０ａ、２０ｂをそれぞれオンすると、白色ＬＥＤ３ａ及び電球色ＬＥＤ３ｂがすべて点灯することになる。
なお、白色ＬＥＤ３ａと電球色ＬＥＤ３ｂの数をそれぞれ１４個として説明しているが、これらの白色ＬＥＤ３ａ及び電球色ＬＥＤ３ｂの数は限定されるものではなく、任意のＬＥＤ３ａ、３ｂを用いても良いのはもちろんである。
【００５４】
図７（ａ）に示すように、白色ＬＥＤ３ａあるいは電球色ＬＥＤ３ｂを点灯させると、ミラー２の両側のＬＥＤ３は上下方向に白色ＬＥＤ３ａと電球色ＬＥＤ３ｂとを交互にそれぞれ配置しているので、ミラー２の両側の白色ＬＥＤ３ａ、あるいは電球色ＬＥＤ３ｂが点灯するので、白色ＬＥＤ３ａ、電球色ＬＥＤ３ｂのどちらのＬＥＤ３を点灯させた場合であっても、ミラー２の両側からＬＥＤ３の光が顔に向けて照射されることになる。
このように、ＬＥＤ３の光が顔の両側から照射されるので、顔には影ができずに、化粧もし易くなり、しかも、ＬＥＤ３の光はカバー４により散乱しているので、顔全体を明るく照らし出すことができる。
【００５５】
ここで、ミラー２の寸法であるが、ミラー２の横寸法と縦寸法の割合を、１：ルート２（１．４１４２・・・）の所謂黄金比を用いているので、ミラー２と顔との距離を約２０ｃｍほど離れて見た場合には、顔がミラー２にすっぽりと入り、化粧も一層し易くなる。
【００５６】
次に、ＬＥＤ３の配置構成について説明する。図１４は、ミラー２の前面に対してカバー４の前面を面一にすると共に、ＬＥＤ３の傾きをゼロとして、ＬＥＤ３の中央部分の光の投光方向を図の矢印に示すように、カバー４の前面と直交する方向としたものである。
先の実施形態と同様であるが、本実施形態でもミラー２の前面に対してカバー４の前面を面一にすることで、鏡本体１の前面がフラットになって、バッグ内への出し入れの際に、バッグに引っ掛かることもなく、スムーズに出し入れをすることができる。
【００５７】
図１５は、カバー４を少し傾斜させると共に、プリント基板１２も同じ傾斜角度にて配置し、ＬＥＤ３の中央部分の光の投光方向をミラー２の内側に来るようにしたものである。
【００５８】
また、図１６に示すように、ミラー２の前面とカバー４の前面とをほぼ面一にし、プリント基板１２を傾斜させた状態で配置し、ＬＥＤ３の中央部分の光の投光方向をミラー２の内側に来るようにしたものである。
この場合、図１６に示すように、ミラー２と顔の位置との距離を約２０ｃｍ程度とした場合、ＬＥＤ３（３ａ、３ｂ）の中央部分の光が顔の中央部分に照射され、また、ＬＥＤ３の中央部分以外からの光もある角度を持って広がって照射されるので、両側からの各ＬＥＤ３からの光は顔の全体にわたって満遍なく明るく照らし出されることになる。これにより、顔には影が形成されることがなく、化粧も一層し易くなる。
【００５９】
ここで、両実施形態共に、カバー４は光透過性の合成樹脂にて構成しており、該カバー４を透明としたり、あるいは半透明としている。カバー４を透明とした場合には、ミラー２の回りを一層明るくすることができ、化粧をし易くすることができる。また、カバー４を半透明とした場合には、発光ダイオード３からの光が直接見えないので、目にもやさしく、また、発光ダイオード３の光が眩しくならず、化粧をする場合にも光が支障となることもない。
【００６０】
また、発光ダイオード３ａ、３ｂを交互に配列しているので、どちらの発光ダイオード３ａ、３ｂを選択して点灯させても、ミラー２の回りを明るく点灯させることができ、顔の一方側が明るく、他方側が暗いということを避けることができる。
【図面の簡単な説明】
【００６１】
【図１】本発明の第１の実施の形態における鏡本体の正面図である。
【図２】本発明の第１の実施の形態におけるカバーの正面図である。
【図３】本発明の第１の実施の形態におけるカバーを外した状態の鏡本体の正面図である。
【図４】本発明の第１の実施の形態における鏡本体の断面図である。
【図５】本発明の第１の実施の形態におけるカバーの裏面に形成した凹面部による発光ダイオードからの光の散乱状態を示す説明図である。
【図６】本発明の第１の実施の形態における回路図である。
【図７】（ａ）（ｂ）は本発明の第２の実施の形態における鏡本体の正面図及び側面図である。
【図８】本発明の第２の実施の形態における鏡本体の斜視図である。
【図９】本発明の第２の実施の形態におけるカバーを外した状態の鏡本体の正面図である。
【図１０】本発明の第２の実施の形態における図８のＡ−Ａ断面図である。
【図１１】本発明の第２の実施の形態における図８のＢ−Ｂ断面図である。
【図１２】本発明の第２の実施の形態における要部拡大断面図である。
【図１３】本発明の第２の実施の形態における回路図である。
【図１４】本発明の第２の実施の形態における発光ダイオードの配置例を示す要部断面図である。
【図１５】本発明の第２の実施の形態における発光ダイオードの他の配置例を示す要部断面図である。
【図１６】本発明の第２の実施の形態における発光ダイオードの更に他の配置例を示す要部断面図である。
【符号の説明】
【００６２】
１  鏡本体
２  ミラー
３  発光ダイオード
３ａ、３ｂ  発光ダイオード
４  カバー
２０  スイッチ
２２  凹面部
【図１】
2008073174.tif 000003
【図２】
2008073174.tif 000004
【図３】
2008073174.tif 000005
【図４】
2008073174.tif 000006
【図５】
2008073174.tif 000007
【図６】
2008073174.tif 000008
【図７】
2008073174.tif 000009
【図８】
2008073174.tif 000010
【図９】
2008073174.tif 000011
【図１０】
2008073174.tif 000012
【図１１】
2008073174.tif 000013
【図１２】
2008073174.tif 000014
【図１３】
2008073174.tif 000015
【図１４】
2008073174.tif 000016
【図１５】
2008073174.tif 000017
【図１６】
2008073174.tif 000018